(57)【特許請求の範囲】
【請求項１】
複数の照明装置を含む照明装置グループに動作状態変更命令を送信し、これにより前記照明装置が、第１の遅延間隔内のランダム遅延を有するか、又は第２の遅延間隔内の個別の所定遅延を有して、当該照明装置の動作状態を変更することを促すステップと、
前記第１又は第２の遅延間隔内に、前記照明装置グループに供給される総駆動電力における変化を検出し、総変化数をカウントするステップと、
前記総変化数を、前記照明装置グループ内の照明装置の数と対応する公称数と比較するステップと、
前記総変化数が、前記公称数に０＜ｃ≦１である所定の定数ｃを乗じた数よりも小さい場合に、照明装置エラー信号を生成するステップと、
を含む、照明システムを制御する方法。
【請求項２】
前記総駆動電力における変化を検出するステップは、単一の照明装置に起因する変化量に相当する単一の変化に関する知識を取得し、最初の前記動作状態変更命令の送信に関連して、前記総変化数、及び前記総変化数に起因する総変化量のうちの少なくとも１つによって前記公称数を決定するステップを含む、請求項１に記載の方法。
【請求項３】
前記単一の変化に関する知識を取得するステップは、全ての変化の変化量の中央値を決定し、当該中央値の量を前記単一の変化として設定するステップを含む、請求項２に記載の方法。
【請求項４】
前記総駆動電力における変化を検出するステップは、変化量を前記単一の変化と比較することによって、検出された変化の各々の対応する照明装置の数を決定するステップを含む、請求項２又は３に記載の方法。
【請求項５】
前記照明装置は、前記動作状態変更命令を介して、前記ランダム遅延を有して当該照明装置の動作状態を変更することを促され、前記動作状態変更命令は、前記第１の遅延間隔の値を含む、請求項１乃至４の何れか一項に記載の方法。
【請求項６】
前記照明装置は、前記動作状態変更命令を介して、前記ランダム遅延を有して当該照明装置の動作状態を変更することを促され、
前記照明装置の各々において、前記第１の遅延間隔内の前記ランダム遅延を適用するステップと、
それぞれの遅延の終了時に、前記照明装置の各々において、前記動作状態変更命令に従って動作状態を変更するステップと、
を含む、請求項１乃至５の何れか一項に記載の方法。
【請求項７】
前記ランダム遅延を適用するステップは、遅延トリガを含む前記動作状態変更命令が受信される度に、新たな遅延をランダムに決定するステップを含む、請求項６に記載の方法。
【請求項８】
前記ランダム遅延を適用するステップは、前記照明装置の最初の電源投入時に、固定のランダム遅延を決定するステップを含む、請求項６に記載の方法。
【請求項９】
前記照明装置は、前記動作状態変更命令を介して、前記個別の所定遅延を有して当該照明装置の動作状態を変更することを促され、前記照明装置の各々の前記個別の所定遅延の期間は、いかなる他の前記照明装置の前記個別の所定遅延の期間とも異なる、請求項１乃至４の何れか一項に記載の方法。
【請求項１０】
前記総駆動電力における変化を検出するステップは、前記公称数を、前記照明装置グループに以前に送信された前記動作状態変更命令に関連するそれぞれの前記総変化数の平均値として決定するステップを含む、請求項１並びに請求項５乃至９の何れか一項に記載の方法。
【請求項１１】
各照明装置グループが複数の照明装置を含む少なくとも１つの当該照明装置グループと、前記少なくとも１つの照明装置グループと接続される制御装置と、を含む、照明システムであって、
前記複数の照明装置の各々は、少なくとも１つの光源と、前記少なくとも１つの光源と接続される駆動ユニットとを含み、前記駆動ユニットは、動作状態変更命令の受信の際に、第１の遅延間隔内のランダム遅延、又は第２の遅延間隔内の個別の所定遅延を適用し、適用された前記ランダム遅延又は前記所定遅延の終了時に、前記照明装置の動作状態を変更し、
前記制御装置は、前記少なくとも１つの照明装置グループに前記動作状態変更命令を送信し、それぞれの前記第１又は第２の遅延間隔内に、前記照明装置グループに供給される総駆動電力における変化を検出し、総変化数をカウントし、前記総変化数を前記照明装置グループ内の照明装置の数と対応する公称数と比較し、前記総変化数が、前記公称数に０＜ｃ≦１である所定の定数ｃを乗じた数よりも小さい場合に、照明装置エラー信号を生成する、照明システム。
【請求項１２】
前記駆動ユニットは、光源コントローラと、前記光源コントローラと接続される遅延ユニットと、前記光源コントローラと接続される駆動電圧発生器とを含む、請求項１１に記載の照明システム。
【請求項１３】
前記照明装置の前記駆動ユニットは、前記動作状態変更命令の受信の際に、前記第２の遅延間隔内の個別の所定遅延を適用し、前記照明装置の各々の前記個別の所定遅延の期間は、いかなる他の前記照明装置の前記個別の所定遅延の期間とも異なる、請求項１２に記載の照明システム。
【請求項１４】
ｃ＝１である、請求項１乃至１０の何れか一項に記載の方法。
【請求項１５】
ｃ＝１である、請求項１１乃至１３の何れか一項に記載の照明システム。
【発明の詳細な説明】
【技術分野】
【０００１】
本発明は、照明遠隔管理システム、及びライトのグループの状態や状況を監視する他のシステムに関する。
【背景技術】
【０００２】
米国特許第６，５４２，０８２号において、照明システムの動作を試験するための試験装置が開示され、米国特許第６，５４２，０８２号は、遠隔に配置された試験対象のユニット内に含まれる照明装置のグループ内の照明装置が適切に作動するかどうかの決定を開示する。決定は、一回に１つの照明装置を選択し、当該照明装置を試験することによって行われる。したがって、試験装置は、照明装置を選択するために、及び、選択された照明装置の動作状態を変更するために試験対象のユニットに制御信号を送信し、試験対象のユニットによって引き込まれる電流における変化を決定する。例えば、試験装置が、電流の変化がないこと、又は変化が予測よりも少ないことを決定する場合、試験装置は当該照明装置に欠陥があることを決定する。
【０００３】
こうした個別化された試験は、個々の照明装置が特定され得る照明システムにおいて可能である。しかしながら、こうした照明システムは、多くのアプリケーションにとって望ましくなく高価である。したがって、個々の照明装置を選択し、特定することが可能ではない、より安価な照明システムにおいても、欠陥のある照明装置を遠隔で検出することができるのが望ましい。
【発明の概要】
【発明が解決しようとする課題】
【０００４】
本発明の目的は、従来技術の上述の問題を軽減する、照明システムを制御する方法、照明システム、及び照明装置を提供することである。
【課題を解決するための手段】
【０００５】
本目的は、請求項において規定される、本発明による照明システムを制御する方法、照明装置、及び照明システムのそれぞれによって達成される。
【０００６】
したがって、本発明の態様によると、
複数の照明装置を含む照明装置グループに動作状態変更命令を送信し、これにより照明装置が、遅延間隔内のランダム遅延を有して、当該照明装置の動作状態を変更することを促すステップと、
遅延間隔内に、照明装置グループに供給される総駆動電力における変化を検出し、総変化数をカウントするステップと、
総変化数を、照明装置グループ内の照明装置の数と対応する公称数と比較するステップと、
総変化数が、公称数に０＜ｃ≦１である所定の定数ｃを乗じた数よりも小さい場合に、照明装置エラー信号を生成するステップと、
を含む、照明システムを制御する方法が提供される。
【０００７】
したがって、本方法により、照明装置をオン若しくはオフにするか、又は照明装置を調光する等の動作状態の変更に関連して、照明装置に欠陥があることを検出することが可能である。いかなる応答も生成することなく、あるいは個々の照明装置を特定するいかなる手順も実行することなく、グループ内の全ての照明装置に命令が単純に送信される単純な通信構造にも関わらず、方法は、欠陥のある照明装置を検出することができる。グループの照明装置の数は限定されているので、オペレータがグループ内のどの照明装置（又は複数の照明装置）に欠陥があるのかを調べる負担は、照明装置に欠陥が生じたことを自動的に検出するという利益と比較して小さい。照明装置エラー信号は、変化数が、公称数に０＜ｃ≦１である所定の定数ｃを乗じた数よりも小さい場合に生成されるので、方法は、欠陥のある照明装置の割合に関して様々な許容レベルに調整可能である。したがって、一部のアプリケーションでは、たった１つの欠陥のある照明装置でさえも許容可能ではない一方で、他のアプリケーションでは、一定数の照明装置に欠陥がある時点でエラー信号が生成されることで足りる。こうしたアプリケーションでは、ｃ＜１の値が適切であろう。
【０００８】
このアプリケーションの目的のために、また、当業者によって容易に認識され得るように、「駆動電力」との用語は、消費電力量そのもの、又は駆動電流若しくは駆動電流に起因する駆動電圧等の電力消費に関連し得る任意の量を意味する。
【０００９】
方法の実施形態によると、総駆動電力における変化を検出するステップは、単一の照明装置に起因する変化量に相当する単一の変化に関する知識を取得し、最初の動作状態変更命令の送信に関連して、総変化数、及び総変化数に起因する総変化量のうちの少なくとも１つによって公称数を決定するステップを含む。
【００１０】
したがって、グループの照明装置の総数の値を入力することは可能であるが必要でなく、この総数は、動作状態の変更が実行される初回に決定される。これは、方法によると、全ての照明装置は最初から適切に作動することが仮定されることを意味し、これは合理的な仮定である。
【００１１】
方法の実施形態によると、単一の変化に関する知識を取得するステップは、全ての変化の変化量の中央値を決定し、当該中央値の量を単一の変化として設定するステップを含む。
【００１２】
方法の実施形態によると、総駆動電力における変化を検出するステップは、変化量を単一の変化と比較することによって、検出された変化の各々の対応する照明装置の数を決定するステップを含む。各照明装置は遅延間隔内のランダム遅延を独立して適用するので、２以上の照明装置が同一の遅延を適用することが起こり得る。これはこの実施形態によって検出され、これにより欠陥のある照明装置に関する誤った指標が防止される。
【００１３】
方法の実施形態によると、動作状態変更命令は遅延間隔の値を含む。したがって、所望の場合、遅延間隔を遠隔から変更することが可能である。
【００１４】
方法の実施形態によると、方法は、各照明装置において、遅延間隔内のランダム遅延を適用するステップと、それぞれの遅延の終了時に、各照明装置において、動作状態変更命令に従って動作状態を変更するステップとを更に含む。
【００１５】
方法の実施形態によると、ランダム遅延を適用するステップは、遅延トリガを含む動作状態変更命令が受信される度に、新たな遅延をランダムに決定するステップを含む。これは高い柔軟性を提供する。
【００１６】
方法の実施形態によると、ランダム遅延を適用するステップは、照明装置の最初の電源投入時に、固定のランダム遅延を決定するステップを含む。これは技術的単純性を提供する。
【００１７】
本発明の別の態様によると、少なくとも１つの光源と、少なくとも１つの光源と接続される駆動ユニットとを含む照明装置であって、駆動ユニットは、動作状態変更命令の受信の際に、所定の遅延間隔内のランダム遅延を適用し、遅延の終了時に、照明装置の動作状態を変更する照明装置が提供される。駆動ユニットは動作状態の変更をランダムに遅延することができるので、複数の照明装置は制御装置にいかなる情報も能動的に送信しないにも関わらず、当該複数の照明装置のための全く同一の電力線にわたる変化を検出することが可能である。
【００１８】
照明装置の実施形態によると、駆動ユニットは、光源コントローラと、光源コントローラと接続される遅延ユニットと、光源コントローラと接続される駆動電圧発生器とを含む。
【００１９】
また、本発明によると、複数の前述の種類の照明装置を含む少なくとも１つの照明装置グループと、グループと接続される制御装置とを含む照明システムが提供される。制御装置は、少なくとも１つの照明装置グループに動作状態変更命令を送信し、遅延間隔内に、照明装置グループに供給される総駆動電力における変化を検出し、総変化数をカウントし、総変化数を照明装置グループ内の照明装置の数と対応する公称数と比較し、総変化数が、公称数に０＜ｃ≦１である所定の定数ｃを乗じた数よりも小さい場合に、照明装置エラー信号を生成する。この照明システムは、上述の方法を実行する。
【００２０】
上述の方法の実施形態によって提供される利点に対応する利点を提示する照明システムの実施形態が提供される。
【００２１】
本発明の実施形態によると、
複数の照明装置を含む照明装置グループに動作状態変更命令を送信し、これにより照明装置が、遅延間隔内の個別の所定遅延を有して、当該照明装置の動作状態を変更することを促すステップと、
遅延間隔内に、照明装置グループに供給される総駆動電力における変化を検出し、総変化数をカウントするステップと、
総変化数を、照明装置グループ内の照明装置の数と対応する公称数と比較するステップと、
総変化数が、公称数に０＜ｃ≦１である所定の定数ｃを乗じた数よりも小さい場合に、照明装置エラー信号を生成するステップと、
を含む、照明システムを制御する方法が提供される。
【００２２】
したがって、本実施形態により、照明装置をオン若しくはオフにするか、又は照明装置を調光する等の動作状態の変更に関連して、欠陥のある照明装置の存在を検出することが可能である。いかなる応答も生成することなく、あるいは個々の照明装置を特定するいかなる手順も実行することなく、グループ内の全ての照明装置に命令が単純に送信される単純な通信構造にも関わらず、方法は、欠陥のある照明装置を検出することができる。グループの照明装置の数は限定されているので、オペレータがグループ内のどの照明装置（又は複数の照明装置）に欠陥があるのかを調べる負担は、照明装置に欠陥が生じたことを自動的に検出するという利益と比較して小さい。
【００２３】
本実施形態におけるような個別の所定遅延、及び前述の実施形態におけるようなランダム遅延の利用は、それぞれ同一の技術的課題、すなわち照明装置に欠陥があることを検出するという課題に対する代替的な解決策を提供する。したがって、これら２つの解決策は、共通の発明のコンセプトを形成する。
【００２４】
個別の所定遅延の利用に関する本実施形態は、オプションで前述の実施形態からの特徴と組み合わされてもよい。
【００２５】
例えば、総駆動電力における変化を検出するステップは、単一の照明装置に起因する変化量に相当する単一の変化に関する知識を取得し、最初の動作状態変更命令の送信に関連して、総変化数、及び総変化数に起因する総変化量のうちの少なくとも１つによって公称数を決定するステップを含んでよい。
【００２６】
本実施例では、単一の変化に関する知識を取得するステップは、例えば、全ての変化の変化量の中央値を決定し、当該中央値の量を単一の変化として設定するステップを含んでよい。
【００２７】
追加的又は代替的に、総駆動電力における変化を検出するステップは、例えば、変化量を単一の変化と比較することによって、検出された変化の各々の対応する照明装置の数を決定するステップを含んでよい。２以上の個別の所定遅延が同一又は類似の期間を有する場合、対応する照明装置の動作状態の変更は、時間において互いに区別できない総駆動電力における変化を引き起こす恐れがある。これは総駆動電力における変化量を単一の変化と比較することによって検出され、これにより欠陥のある照明装置に関する誤った指標が防止される。
【００２８】
実施形態によると、各照明装置の個別の所定遅延の期間は、いかなる他の照明装置の個別の所定遅延の期間とも異なる。本実施形態は、２以上の照明装置が同時に動作状態を変更するリスクを低減させ、照明装置グループに供給される総駆動電力における変化を介した個々の動作状態の変更の検出を容易にする。
【００２９】
実施形態によると、照明装置は、それぞれの個別の所定遅延を事前設定される。
【００３０】
実施形態によると、方法は、各照明装置において、遅延間隔内のそれぞれの個別の所定遅延を適用するステップと、それぞれの遅延の終了時に、各照明装置において、動作状態変更命令に従って動作状態を変更するステップとを更に含む。
【００３１】
実施形態によると、総駆動電力における変化を検出するステップは、公称数を、照明装置グループに以前に送信された動作状態変更命令に関連するそれぞれの総変化数の平均値として決定するステップを含む。本実施形態では、公称数は、場合によっては数ヶ月／数年前に遡る幾分前の段階で照明装置グループ内に存在する照明装置の数に固定されるよりもむしろ、照明装置の動作中に更新され、変化する状況に対して自動的に調整され得る。例えば、平均値は、先月からの数に基づいて形成されてよい。
【００３２】
本発明の実施形態によると、少なくとも１つの光源と、少なくとも１つの光源と接続される駆動ユニットとを含む照明装置であって、駆動ユニットは、動作状態変更命令の受信の際に、所定の遅延間隔内の個別の所定遅延を適用し、適用された遅延の終了時に、照明装置の動作状態を変更する照明装置が提供される。駆動ユニットは動作状態の変更を個別の所定遅延によって遅延することができるので、複数の照明装置は制御装置にいかなる情報も能動的に送信しないにも関わらず、当該複数の照明装置のための全く同一の電力線にわたる変化を検出することが可能である。駆動ユニットは、オプションで、光源コントローラと、光源コントローラと接続される遅延ユニットと、光源コントローラと接続される駆動電圧発生器とを含んでもよい。
【００３３】
本発明の実施形態によると、上述の照明システムは、各照明装置グループが、動作状態変更命令の受信の際に、（ランダム遅延を適用するのではなく）遅延間隔内の個別の所定遅延を適用する駆動ユニットを有する複数の照明装置を含む、少なくとも１つの当該照明装置グループを含む。
【００３４】
照明システムの実施形態によると、各照明装置の個別の所定遅延の期間は、いかなる他の照明装置の個別の所定遅延の期間とも異なる。
【００３５】
方法又は照明システムの実施形態によると、ｃ＝１である。
【００３６】
上述の方法の実施形態によって提供される利点に対応する利点を提示する照明システムの実施形態が提供される。
【図面の簡単な説明】
【００３７】
本発明は、添付の図面を参照して、より詳細に説明される。
【００３８】
【図１】本発明による照明システムの実施形態のブロック図である。
【図２】本発明による照明システムの別の実施形態のブロック図である。
【図３】本発明による方法の実施形態を示すフローチャートである。
【図４】照明装置グループの動作状態の変更中の電力消費の変化を示す時間ダイアグラムである。
【図５】照明装置グループの動作状態の変更中の電力消費の変化を示す別の時間ダイアグラムである。
【図６】本発明による方法の代替的な実施形態を示すフローチャートである。
【発明を実施するための形態】
【００３９】
以下において、本発明による方法及び照明システムの実施形態が説明される。様々な図中に現れる参照番号は、全ての図中で同様の要素を示す。
【００４０】
照明システム１の第１の実施形態によると、照明システム１は、１つの照明装置グループ３と、照明装置グループ３と接続される制御装置７とを含む。照明装置グループ３は、複数の照明装置９を含む。照明システム１における通信は、制御装置７から照明装置９への単方向である。各照明装置９は、少なくとも１つの光源１１と、少なくとも１つの光源１１に駆動電圧を供給するために少なくとも１つの光源１１と接続される駆動ユニット１３とを含む。
【００４１】
例えば、照明システム１は街灯のために用いられ、照明装置９は調光可能であり、ひいてはオン、オフ、又は中間レベルに設定され得る。しかしながら、園芸／農業、工業照明や、例えば駐車場照明といったエリア照明等の、照明システムの多くの他のアプリケーションが実現可能である。
【００４２】
照明システム１は、以下のとおり動作し、これにより照明システムを制御する方法の実施形態を実行する。制御装置７は、少なくとも、特定の期間中に照明装置９の動作状態が変更される当該特定の期間中、電力消費を監視する。照明装置９の動作状態を変更すべき時間に、制御装置７は、動作状態変更命令と呼ばれる制御命令を照明装置９に送信する。図３のボックス２１を参照されたい。動作状態変更命令は、電力線上の重畳データ信号として送信される。こうした電力線上の信号伝達は、当業者が十分精通している任意の既知の技術によって行われ得る。
【００４３】
典型的には、太陽が昇るとき、太陽が沈むとき、及び悪天候等の何らかの他の理由で十分暗くなるときが、動作状態を変更すべき時間である。また、動作状態は、周囲光の変化以外の他の事情によっても変更され得る。例えば、光源が交通量等に応じて典型的には明るく又は暗く調光される場合、変更は当該交通量に依存してよい。既知の照明制御システムにおいて既に使用されているように、動作状態の変更に関していくつかの更なるアレンジメントが行われ得る。好ましくは、照明装置９がオフにされるのは例えば照明装置９をオンにするよりも速い変化であるので、欠陥のある照明装置９の検査は照明装置９がオフにされているときに行われる。
【００４４】
各照明装置９の駆動ユニット１３は、動作状態変更命令を受信する。ボックス２２で、動作状態変更命令の受信時に、駆動ユニット１３はランダム遅延を適用する。この実施形態によると、遅延の長さは、最初の電源投入又は最初の動作状態変更命令の最初の受信等の初回にランダムに決定され、次いで同一の遅延が毎回適用される。
【００４５】
ボックス２３で、遅延が終了したときに、駆動ユニット１３は当該駆動ユニット１３の電圧出力レベルを相応に調節する。典型的には、２４時間等の時間にわたり、照明装置に様々な態様で状態を変更するよう命令する、いくつかの様々な動作状態変更命令が送信されることに留意すべきである。遅延は、日の出の時にライトをオフにする等のある特定の変更時に用いられるか、又はあらゆる変更時等に用いられてもよい。したがって、代替的に、動作状態変更命令の受信時に、駆動ユニット１３はこの特定の命令が遅延の導入されるべき命令であるかどうかを追加的に決定する。この第１の実施形態によると、ランダム遅延を有する動作状態の変更が実行されようとする場合、動作状態変更命令は、遅延間隔内でランダム遅延が選択されるべき当該遅延間隔の長さに関する情報を含む。したがって、駆動ユニットは、動作状態変更命令が遅延間隔に関する情報を含むことを検出するときに、ランダム遅延を決定する。
【００４６】
しかしながら、代替的に、遅延は毎回ランダムに決定され、ひいては回毎に異なってもよい。更に別のオプションは、照明装置９の製造時又は照明装置９の照明システム１内への取付け時等に、予め駆動ユニット１３に遅延をプログラムすることであり、次いで予め決定された遅延が駆動ユニット１３によって適用される。しかしながら、駆動ユニット１３の遅延を、命令と共に受信される遅延間隔に対して調整することができる当該駆動ユニット１３を提供することが望ましい。上記のいかなる場合においても、このアプリケーションの目的のために、「ランダム遅延を適用する」との表現は、上述の全ての代替策を含むものとみなされる。
【００４７】
したがって、ランダム遅延は、遅延間隔を規定する所定の制限内で選択される。遅延間隔の幅は、グループ内の照明装置の数よりも数倍多い数の候補のランダム遅延を収容するのに十分広く選択されるべきである。更に、２つの隣り合う遅延間の距離は、制御装置７が、これら遅延を２つの別々の動作状態の変更として検出するために、これら遅延を区別することができる程に長くなければならない。
【００４８】
例として、照明装置グループ３が例えば２００個の照明装置９等の比較的多数の照明装置９を含む照明システム１に対して、遅延間隔は６０秒である。２０個の照明装置９等の比較的少数の照明装置９に対しては、遅延間隔は６秒である。分解能、すなわち２つの連続する電力消費の決定間の時間は、約１０ミリ秒であるように選択される。これは、例えば６０秒の遅延間隔を有する５０ＨｚのＡＣ電源照明システム１において、電力消費は命令のレイテンシに応じるために７０秒の間決定され、７０００個の電力消費の決定をもたらすことを意味する。照明装置９の遅延の長さをランダムに決定する２００個の当該照明装置９の照明システム１にとって、２つの照明装置９が同時に、すなわち分解能の時間範囲内に動作状態を変更する可能性は、好都合に少ない。このことが発生する場合、制御装置７はこうした状況を検出し、処理するように十分備えられている。
【００４９】
動作状態変更命令によって担持される遅延間隔は、駆動ユニット１３に変更が即時にではなく遅延の後に実行されるべきであることを伝える遅延トリガとして機能する。上述のとおり、遅延される変更を引き起こすことのない１以上の他の動作状態変更命令が制御装置７によって送信されてもよい。これらの動作状態変更命令は、遅延間隔に関するいかなる情報も有さずに送信され、これにより駆動ユニット１３は遅延を適用しないで直ちに変更を実行する。当業者によって理解されるように、単純なフラグ等の他の遅延トリガももちろん実現可能である。
【００５０】
遅延間隔に相当する時間期間中、制御装置７は、照明装置９のグループ３に供給される総駆動電力における変化を検出し、当該変化をカウントする。これにより、ボックス２４で、制御装置７は総変化数Ｃｔｏｔを取得する。
【００５１】
ボックス２５を参照すると、総変化数Ｃｔｏｔは、照明装置グループ３内の照明装置９の数と対応する、すなわち等しい、変化の公称数Ｃｎｏｍと比較される。Ｃｔｏｔ＜Ｃｎｏｍ、すなわち検出された変化数が照明装置９の数よりも少ない場合、制御装置７は少なくとも１つの照明装置９に欠陥があることを決定し、ボックス２６で制御装置７は照明装置エラー信号を生成する。この照明装置エラー信号は、当業者によって理解されるように、任意の適切な種類であってよく、任意の適切な態様で提示されてよい。
【００５２】
検出の正確性及び精度を高めるために、制御装置７は、単一の変化、すなわち単一の照明装置９が当該照明装置９の動作状態を変更するときに引き起こす電力消費の変化量に関する知識を取得する。この知識は様々な態様で取得され得る。例えば、単一の変化の電力値は、照明システム１を取り付けるときに値を入力するオペレータによって予め知られているか、又は幾分か後の時点で制御装置７にプログラムされてもよい。しかしながら、この実施形態によると、遅延間隔中に検出された全ての変化のうちの変化量の中央値が決定され、単一の変化の値として用いられる。中央値を用いることは、極端な値の誤った検出が単一の変化の大きさに影響することを排除する。
【００５３】
公称数Ｃｎｏｍは、遅延間隔の長さを含む動作状態変更命令の最初の送信に関連する遅延間隔中に検出される総変化数として決定される。真の変化だけが検出されることを保証するために、単一の変化と概ね同じ大きさの変化だけが照明装置９に起因するものとみなされる。典型的には、中央値前後のずれの間隔が決定される。２以上の照明装置が同時に動作状態を変更することを可能にするために、単一の変化の倍数に相当する値もカウントされ、ここで乗数は照明装置９の数に匹敵する。
【００５４】
図４は、ランダムにオフにされている照明装置９のグループの実施例を、総電力消費対時間を示すグラフによって示す。全部で８個の全ての照明装置は、遅延間隔Ｄｉ中にオフにされるが、グループ３の別々の照明装置９によってランダムに且つ個別に決定される別々の時点においてである。ある変化Ｃｆａは、変化Ｃｆａの大きさが許容される変化の下限Ｃｍｉｎよりも小さいので、偽として無視される。
【００５５】
電力消費を継続的に監視し、電力消費の突然の減少をいつでも検出し、当該減少は単一の照明装置の障害に起因するとみなすことが可能であることに留意すべきである。しかしながら、電力消費は他の原因のためにわずかに変わる可能性があり、照明装置グループが多くの照明装置を含む場合、単一の障害の総電力消費への影響は小さい。したがって、こうした方法は、監視が特定の時間期間に限定され、単一の変化量が少なくとも概ね既知である本方法よりも、かなり不確実であろう。
【００５６】
照明システム１の第２の実施形態によると、照明システム１は、各々が複数の照明装置９を含む複数の照明装置グループ３、５と、グループ３、５を個別に又は共通して制御するためにグループ３、５と接続される制御装置７とを含む。複数のグループを制御するある代替策によると、当該複数のグループは全て同一の電力線、すなわちメイン電源に接続される。言い換えると、制御装置７は、全てのグループ３、５における動作状態の変更を検出するために、単一の電力線を有する。どのグループが変化を引き起こしているかを知ることができるように、遅延トリガを含む動作状態変更命令は、個別にコード化される。特定の照明装置グループ３、５の照明装置９が命令を受信するとき、照明装置９はコードを調べ、コードが正しい場合にのみ、遅延を含む動作状態の変更を実行する。個別にコード化された命令を、遅延間隔と遅延間隔との間にタイムスロットがあるように時間において分離することによって、制御装置７は、どの照明装置グループ３、５が電力変化を引き起こすかを知る。
【００５７】
更に、駆動ユニットが全ての機能を、典型的には相応にプログラムされていることによって実行していた第１の実施形態への代替策として、この第２の実施形態では、機能がハードウェア構成要素によって実現されるか、又は少なくともソフトウェアが別個のユニットとして表される代替策が説明される。したがって、各照明装置９は、少なくとも１つの光源１１と、駆動電圧を発生させるために当該少なくとも１つの光源と接続される駆動ユニット１３と、制御命令を受信するために制御装置７と接続され、且つ駆動ユニット１３の出力を制御するために当該駆動ユニット１３と接続される光源コントローラ１５とを含む。更に、照明装置９は、光源コントローラ１５と接続されるか、又は光源コントローラ１５内に組み込まれる遅延ユニット１７を含む。しかしながら、当業者によって理解されるように、本明細書に説明される多くの特徴は、照明装置９の内部構造と無関係であることが留意されるべきである。
【００５８】
各照明装置９の光源コントローラ１５は、動作状態変更命令を受信する。光源コントローラ１５は、ランダム遅延を決定するように遅延ユニット１７をトリガする。遅延が終了したとき、遅延ユニット１７はこのことを光源コントローラ１５に信号で伝え、光源コントローラ１５は次いで駆動ユニット１３の電圧出力レベルを相応に調節する。制御装置７は、照明装置グループ３、５に動作状態変更命令を提供し、欠陥のある照明装置９を検出するために、第１の実施形態におけるのと同様に機能する。
【００５９】
図２に示される照明システムの例示のアプリケーションは、交通注意ポイント９、すなわち、照明装置９のうちのたった１つの異常でさえもできるだけ迅速に対処されるべき当該照明装置９の第１の照明装置グループ３と、環境光ポイント９、すなわち、照明装置９にとって個々の照明装置９の適切な動作がそれ程重要ではない当該照明装置９の第２の照明装置グループ５とを含む、照明システム１００である。制御装置７は、グループ３、５のうちの１つと関連する駆動電力における変化数が、それぞれの公称数、又は当該公称数の割合、すなわち公称数に０＜ｃ≦１であるそれぞれの所定の定数ｃを乗じた数よりも小さい場合に、照明装置エラー信号を生成する。本実施形態における公称数は、それぞれのグループ３、５内の照明装置９の数である。第１のグループ３内の交通注意ポイント９の適切な動作は非常に重要なので、たった１つの交通注意ポイント９にも異常があるとすぐにエラー信号が生成されるように、値ｃ＝１が用いられる。第２のグループ５内の環境光ポイント９の適切な動作はそれ程重要ではないので、値ｃ＜１が用いられ、エラー信号が生成される前に一定割合の環境光ポイント９に異常があることを可能にする。
【００６０】
照明装置エラー信号の生成を一定割合の照明装置に欠陥があるまで制限するための、０＜ｃ≦１である定数ｃの利用は、図１を参照して説明された実施形態等の他の実施形態においても同様に使用され得ることに留意されたい。
【００６１】
図５は、ランダムにオフにされている照明装置９のグループの実施例を、総電力消費対時間を示すグラフによって示す。全部で８個の全ての照明装置は、遅延間隔Ｄｉ中にオフにされるが、グループ３の別々の照明装置９によってランダムに且つ個別に決定される時点においてである。本実施例では、２つの照明装置９が偶々同時にオフにされるか、又は総電力消費を監視する制御装置７によって互いに区別され得ない程近い時点でオフにされる。これは、単一の変化Ｃｓの２倍の大きさの総電力消費における変化Ｃｄをもたらす。制御装置７は、変化Ｃｄを検出し、変化Ｃｄの量を単一の変化Ｃｓと比較することによって、検出された変化Ｃｄの対応する照明装置９の数、すなわち２個を決定する。制御装置７は、総変化数をカウントするときにこの数を考慮に入れ、すなわち、制御装置７は、変化Ｃｄを２個の変化としてカウントする。
【００６２】
図１及び図３を参照して説明された実施形態では、照明装置９の駆動ユニット１３は、ランダム遅延を適用する。図６を参照して、駆動ユニット１３が代わりに個別の所定遅延を適用する、照明システム１を制御する方法の代替的な実施形態が説明される。
【００６３】
図３を参照して説明された方法と同様に、本実施形態による方法は、制御装置７が照明装置９に動作状態変更命令を送信するステップを含む（ボックス６１）。しかしながら、動作状態変更命令の受信時に、照明装置９の駆動ユニット１３は、個別の所定遅延を適用する（ボックス６２）。照明装置９すなわち当該照明装置９のそれぞれの駆動ユニット１３は、例えば照明システム１の製造中又はセットアップ／設定中に、個別の所定遅延を例えば予めプログラムされるといったように事前設定され、当該照明装置９すなわち当該照明装置９のそれぞれの駆動ユニット１３の遅延を、互いに独立して、且つ、個々の照明装置９にどの遅延を適用すべきかを指示する制御装置７からのいかなる指示もなしに適用する。
【００６４】
本実施形態では、２以上の照明装置が同時に動作状態を変更するリスクを低減させ、照明装置グループに供給される総駆動電力における変化を介した個々の動作状態の変更の検出を容易にするために、各照明装置９の個別の所定遅延の期間は、いかなる他の照明装置の個別の所定遅延の期間とも異なり、すなわち、個別の所定遅延は全て別々の期間を有する。個別の所定遅延の期間は、好ましくは個々の照明装置の動作状態における変化が時間において互いに区別できる程度に互いに異なる。例えば、総電力消費を監視する制御装置の時間分解能が１０ミリ秒である場合、期間は例えば少なくとも３０ミリ秒、又は少なくとも２０ミリ秒だけ異なる。
【００６５】
また、いくつかの個別の所定遅延が一致する実施形態も想定されることに留意されたい。例えば、既に利用されている照明装置９の個別の所定遅延が既知ではない照明システム１への新たな照明装置の追加は、１以上の一致する遅延をもたらす恐れがある。しかしながら、図５を参照して説明されたように、１以上の一致する遅延は、制御装置７によって検出され、処理され得る。
【００６６】
本実施形態、すなわち図６を参照して説明された方法では、駆動ユニット１３は所定遅延を適用するので、制御装置７が遅延間隔に関する情報を送信する必要はない。しかしながら、遅延間隔中に制御装置７が総駆動電力における変化を検出する当該遅延間隔は、全ての個別の所定遅延を包含するのに十分長くなければならない。一部の動作状態変更命令だけが駆動ユニット１３に当該駆動ユニット１３の動作状態の変更を遅延させるべき場合、こうした動作状態変更命令は、駆動ユニット１３に当該駆動ユニット１３のそれぞれの遅延を適用するように情報提供するためのトリガを含むか、又はこうしたトリガを伴う。
【００６７】
図３を参照して説明された方法と同様に、本実施形態による方法は、照明装置９のそれぞれの遅延の後の当該照明装置９の動作状態における変更の実行（ボックス６３）、遅延間隔中の照明装置９に供給される総駆動電力における変化の検出（ボックス６４）、総変化数の公称数との比較（ボックス６５）、及び変化数が公称数よりも小さい場合の照明装置エラー信号の生成（ボックス６６）が続く。
【００６８】
また、一部の照明装置９すなわち駆動ユニット１３はランダム遅延を適用する一方で、一部の照明装置は個別の所定遅延を適用する実施形態も想定される。
【００６９】
図６を参照して説明された方法は、図２を参照して説明された、様々な照明装置グループと関連付けられた個別コードの利用と組み合わされ得ることに留意されたい。
【００７０】
上記において、添付の請求項において規定される、本発明による照明システムを制御する方法、照明装置、及び照明システムが説明された。これらは単に非限定的な例示として理解されるべきである。当業者によって理解されるように、添付の請求項によって規定される本発明の範囲内で、多くの修正及び代替的な実施形態が可能である。
【００７１】
本出願の目的のために、特に添付の請求項に関して、「含む」の文言は他の要素又はステップを除外するものではなく、「ａ」又は「ａｎ」の文言は複数を除外するものではないことに留意されたい。このことは本質的に当業者に明白であろう。
【図１】
0006382845.tif 000002
【図２】
0006382845.tif 000003
【図３】
0006382845.tif 000004
【図４】
0006382845.tif 000005
【図５】
0006382845.tif 000006
【図６】
0006382845.tif 000007